(57)【要約】【課題】針体を手で支えることなしに針先を正確に経穴に刺入することができると共に、皮膚に直接指が触れることなしに針体刺入部の皮膚を押し開いて刺入を進めることができ、これにより、刺入部の汚染を防止することができる鍼灸施術具の提供。【解決手段】針１を軸方向移動可能に収容する針管２における外筒４の下端部に３本の脚片３２を備えた脚部３を備え、脚部３は、所定の弾性を有する合成樹脂材料により形成され、各脚片３２は外筒４の軸方向線に対しそれぞれ外向きに拡開する状態で傾斜状に突出され、各脚片３２の先端水平部３３を鍼灸被施術者の皮膚Ｈに当接して押圧することにより、針体刺入部の皮膚Ｈの近辺を所定の圧力で圧迫すると共に、各脚片３２がその弾性により撓むことで針体刺入部の皮膚Ｈを該針体刺入部を中心として外向き放射方向に押し開くように構成されている。【選択図】        図３
2004187834.tif 000002
【特許請求の範囲】
【請求項１】
針体の基部に針柄を備えた針を軸方向移動可能に収容する針管の先端開口縁部分に、該先端開口縁部分から針管の軸方向線に対しそれぞれ外向きに拡開する状態で傾斜状に突出する弾性材料よりなる複数の脚片を有する脚部が備えられ、
該各脚片の先端部を鍼灸被施術者の皮膚に当接して押圧することにより、針体刺入部の皮膚の近辺を所定の圧力で圧迫すると共に、各脚片がその弾性により撓むことで針体刺入部の皮膚を該針体刺入部を中心として外向き放射方向に押し開くように構成されていることを特徴とする鍼灸施術具。
【請求項２】
前記針管は、その先端開口縁部分に前記複数の脚片を有する脚部を備えた外筒と、該外筒内に軸方向移動可能に収容される可動部材とで構成され、
該可動部材は、針先側を除く針体部分と針柄部分を収容可能な中空部を備えた有底筒状の可動内筒部と、該可動内筒部の底部側に一方端が連設もしくは当接すると共にもう一方端が前記外筒より外部に突出した状態で設けられていて前記可動内筒部を押圧するノック部と、前記可動内筒部をノック部方向へ移動する方向に押圧付勢するコイルスプリングとで構成され、
前記ノック部は、前記外筒に対し可動内筒部を前記コイルスプリングの付勢力に抗して押圧する方向にのみ移動可能に構成されていることを特徴とする請求項１に記載の鍼灸施術具。
【請求項３】
前記ノック部が収容された外筒の側壁に軸方向に沿って複数の係止孔が形成され、
前記ノック部には該ノック部を前記外筒内に向けて押し込むことにより前記各係止孔に対し段階的に係合する係合爪を備えていることを特徴とする請求項２に記載の鍼灸施術具。
【請求項４】
前記却部が針管に対し着脱可能に装着されていることを特徴とする請求項１〜３のいずれか１項に記載の鍼灸施術具。
【発明の詳細な説明】
【０００１】
【発明の属する技術分野】
本発明は、鍼灸療法の分野で用いられる鍼灸施術具に関し、特に、刺入部の汚染防止関連技術に関する。
【０００２】
【従来の技術】
従来の鍼灸施術具は、針体の基部に針柄を備えた針と、該針を軸方向移動可能に収容する針管とで構成され、その施術に際しては、まず、針管内に針を収容した状態で、針を経穴に立て、切皮（穿孔）という動作により針先を２〜３ｍｍほど硬い皮膚を通過させ、その後針管を抜き取り、針先を安定させるため一方の手で針体を支え、かつ、針体刺入部の皮膚を該針体刺入部を中心として外向き放射方向に押し開くようにして針体の刺入が進められるようになっている（例えば、特許文献１参照。）。
また、前記切皮（穿孔）の際においても、被施術者の痛みを軽減するために、針体刺入部の皮膚を指で押圧して圧迫すると共に該針体刺入部を中心として皮膚を外向き放射方向に押し開くような動作が行われている。
【０００３】
【特許文献１】
特開２００１−２７６１７７号公報  （第（３）頁、図１）
【０００４】
【発明が解決しようとする課題】
しかしながら、針体刺入部近辺の皮膚を圧迫したり、針体を手で支え、かつ、針体刺入部を中心として皮膚を外向き放射方向に押し開く際に、施術者の指が被施術者の皮膚に直接触れることにより、人蛋白（皮膚のかけら）や指に付着した微生物で刺入部が汚染される虞があるという問題があった。
【０００５】
本発明は、上述の従来の問題点に着目してなされたもので、針体を手で支えることなしに針先を正確に経穴に刺入することができると共に、皮膚に直接指が触れることなしに針体刺入部の皮膚を押し開いて刺入を進めることができ、これにより、刺入部の汚染を防止することができる鍼灸施術具を提供することを目的とするものである。
【０００６】
【課題を解決するための手段】
上述の目的を達成するために、本発明請求項１記載の鍼灸施術具は、針体の基部に針柄を備えた針を軸方向移動可能に収容する針管の先端開口縁部分に、該先端開口縁部分から針管の軸方向線に対しそれぞれ外向きに拡開する状態で傾斜状に突出する弾性材料よりなる複数の脚片を有する脚部が備えられ、該各脚片の先端部を鍼灸被施術者の皮膚に当接して押圧することにより、針体刺入部の皮膚の近辺を所定の圧力で圧迫すると共に、各脚片がその弾性により撓むことで針体刺入部の皮膚を該針体刺入部を中心として外向き放射方向に押し開くように構成されていることを特徴とする手段とした。
【０００７】
本発明請求項２記載の鍼灸施術具は、請求項１記載の鍼灸施術具において、前記針管は、その先端開口縁部分に前記複数の脚片を有する脚部を備えた外筒と、該外筒内に軸方向移動可能に収容される可動部材とで構成され、該可動部材は、針先側を除く針体部分と針柄部分を収容可能な中空部を備えた有底筒状の可動内筒部と、該可動内筒部の底部側に一方端が連設もしくは当接すると共にもう一方端が前記外筒より外部に突出した状態で設けられていて前記可動内筒部を押圧するノック部と、前記可動内筒部をノック部方向へ移動する方向に押圧付勢するコイルスプリングとで構成され、前記ノック部は、前記外筒に対し可動内筒部を前記コイルスプリングの付勢力に抗して押圧する方向にのみ移動可能に構成されていることを特徴とする手段とした。
【０００８】
本発明請求項３記載の鍼灸施術具は、請求項２に記載の鍼灸施術具において、前記ノック部が収容された外筒の側壁に軸方向に沿って複数の係止孔が形成され、前記ノック部には該ノック部を前記外筒内に向けて押し込むことにより前記各係止孔に対し段階的に係合する係合爪を備えていることを特徴とする手段とした。
【０００９】
本発明請求項４記載の鍼灸施術具は、請求項１〜３のいずれか１項に記載の鍼灸施術具において、前記却部が針管に対し着脱可能に装着されていることを特徴とする手段とした。
【００１０】
【発明の作用および効果】
この発明請求項１記載の鍼灸施術具では、上述のように構成されるため、その施術に際しては、まず、針管内に針を収容した状態で、針を経穴に立て、切皮（穿孔）という動作により針先を２〜３ｍｍほど硬い皮膚を通過させるが、その際に、針管の先端に備えた複数の脚片を皮膚に当接させた状態で針管を皮膚方向に押圧することにより、針体刺入部の皮膚の近辺が各脚片の適度な弾力性により所定の圧力で圧迫されると共に、各脚片がその弾性により撓むことで針体刺入部の皮膚が該針体刺入部を中心として外向き放射方向に押し開かれた状態となる。そこで、この状態で切皮（穿孔）およびその後の針体刺入が行われた後、皮膚に刺入された状態の針を残して外筒の抜き取りを行う。
【００１１】
以上のように、複数の脚片を皮膚に当接させることで、針先を安定させることができるため、針体を手で支えることなしに、針先を正確に経穴に刺入することができ、かつ、皮膚の圧迫および拡開により切皮（穿孔）時における被施術者の痛みを軽減させることができると共に、その後の針体の刺入をスムーズに行なうことができる。
従って、施術中に施術者の手が被施術者の皮膚に直接触れることがないため、刺入部の汚染を防止することができるようになるという効果が得られる。
また、前記各脚片の弾力性を所定の値に設定しておくことにより、施術者の経験・技量の如何に係らず皮膚の圧迫強度を所定の範囲に安定させることができるようになる。
【００１２】
本発明請求項２記載の鍼灸施術具では、上述のように構成されるため、可動内筒部の中空部内に針先を所定長さ突出させた状態で収容し、この状態で外筒の一方端より突出したノック部を人差し指等で外筒内に押し込むことにより、針が収容された可動内筒部をコイルスプリングの付勢力に抗して押圧するもので、これにより、針先を２〜３ｍｍほど硬い皮膚に刺入する切皮（穿孔）だけでなく、その後の刺入を継続的に行うことができる。
【００１３】
本発明請求項３記載の鍼灸施術具は、上述にように構成されるため、外筒の側壁に軸方向に複数形成された係止孔の間隔を所定の長さに設定しておくことにより、切皮（穿孔）時の刺入長さを安定させることができると共に、その後の刺入を段階的に行うことができるようになる。
【００１４】
本発明請求項４記載の鍼灸施術具は、上述にように構成されるため、皮膚に直接触れる脚部のみを新しいものと差し替えることにより、針を除くその他の部材を再利用することが可能となり、これにより、コストを低減することができるようになる。
【００１５】
【発明の実施の形態】
以下に、本発明の実施の形態を図面に基づいて説明する。なお、この発明の実施の形態は、請求項３、４に対応したものである。
図１は発明の実施の形態の鍼灸施術具を示す正面図、図２は同拡大底面図、図３は図１の中央縦断側面図であり、これらの図において、１は針、２は針管を示す。
前記針１は、ステンレス、銀また金合金等からなる針体１１の針先１１ａとは反対側の基端部に、ポリエチレン等の樹脂製の針柄１２が一体成形（例えば、インサート成形）された構造となっている。
【００１６】
前記針管２は、その先端（下端）開口縁部分に脚部３を備えた外筒４と、該外筒４内に軸方向移動可能に収容される可動部材５とで構成されている。
前記外筒４は、円筒状に形成され、その先端（下端）開口縁部分に前記脚部３を着脱自在に取り付けるための小径部４１が形成されると共に、該小径部４１の下端は先細り状の先端部４２が形成されている。そして、前記小径部４１と先端部４２部分の軸心孔部分は先端（下端）開口部に向かうにつれて小径になるテーパ孔４３に形成されると共に、該テーパ孔４３と外筒４の軸心穴４４との間には環状段部４５が形成されている。
【００１７】
前記脚部３は、所定の弾性を有する合成樹脂材料により一体成形されるもので、前記外筒４の小径部４１に対し着脱自在に装着される環状基部３１と、該環状基部３１の下端開口縁部から外筒４の軸方向線に対しそれぞれ外向きに拡開する状態で傾斜状に突出する３本の脚片３２とで構成されている。この３本の脚片３２は、前記環状基部３１における下端開口縁部の円周方向一定間隔のもとに突出され、各脚片３２の先端部には皮膚Ｈへの当接面を構成する水平部３３がそれぞれ延設されている。
【００１８】
前記可動部材５は、前記外筒４の軸心穴４４内に軸方向移動可能に収容される部材であり、可動内筒部５１と、ノック部５２と、コイルスプリング５３とで構成されている。
前記可動内筒部５１は、針先１１ａ側を除く針体１１部分と針柄１２部分を収容可能な中空部５１ａを備え、下端寄り中途部の外周には、外筒４の軸心穴４４の内周面に沿ってその移動を案内する案内部材を兼ねた突起部５１ｂ、５１ｂが形成されている。
そして、前記コイルスプリング５３は、その上下両端部を前記突起部５１ｂ、５１ｂと環状段部４５にそれぞれ係止させた状態で、外筒４の軸心穴４４内に収容されている。
【００１９】
前記ノック部５２は、前記外筒４に対し可動内筒部５１をコイルスプリング５３の付勢力に抗して下方へ押圧移動させる役目をなすもので、その下端部を前記可動内筒部５１の上端開口部を挿入した状態で連結されると共に、上端側が前記外筒４の上端開口部より外部に突出した状態で設けられている。
【００２０】
そして、このノック部５２は、所定の弾性を有する合成樹脂材料で形成されていて、その中途部には、本体部５２ａとは下端のみが連結された二又状分岐片５２ｂが形成され、この分岐片５２ｂの上端部側外面には、断面フ字状の係合爪５２ｃが突出形成され、分岐片５２ｂの基部側外面には、ストッパ爪５２ｄが突出形成されている。
【００２１】
一方、前記外筒４の上部側壁には、前記係合爪５２ｃを係止する係止孔４６が軸方向所定間隔のもとに６個所に形成されると共に、最下段の係止孔４６の下部には、前記ストッパ爪５２ｄを下方へのみ移動可能に係止する長孔４７が形成されている。そして、使用前の状態では、前記コイルスプリング５２が少し圧縮された状態で前記係合爪５２ｃが最上部の係止孔４６に係止された状態となっている。
【００２２】
次に、この発明の実施の形態の作用・効果を説明する。
この発明の実施の形態の鍼灸施術具では、上述のように構成されるため、その施術に際しては、まず、可動内筒部５１の中空部５１ａ内に針１を収容した状態で、針体１１を経穴に立て、切皮（穿孔）という動作により針先１１ａを２〜３ｍｍほど硬い皮膚を通過させるが、その際に、図３（イ）に示すように、外筒４の先端（下端）に備えた３本の脚片３２の水平部３３を皮膚Ｈに当接させた状態で外筒４を皮膚Ｈ方向に押圧することにより、図３（ロ）に示すように、針体刺入部の皮膚Ｈの近辺が各脚片３２の適度な弾力性により所定の圧力で圧迫されると共に、各脚片３２がその弾性により撓むことで針体刺入部の皮膚Ｈが該針体刺入部を中心として外向き放射方向に押し開かれた状態となる。
【００２３】
次に、この状態で、図（ハ）に示すように、ノック部５２を人差し指等で外筒４内に向けて押し込むことにより、可動内筒部５１がコイルスプリング５３の付勢力に抗して下方へ押し込まれ、これにより、可動内筒部５１の中空部５１ａ内に収容された針１の針先１１ａが下方へ押圧移動して硬い皮膚Ｈをまず２〜３ｍｍほど通過させる切皮（穿孔）という動作が行われる。そして、この時点では前記ノック部５２の係合爪５２ｃが上から２段目の係止孔４６に係合されることで、外筒４に対する可動部材５および針１の位置関係が維持された状態となる。
【００２４】
そこで、ノック部５２を人差し指等でさらに外筒４内に向けて押し込んでいくことにより、針体１１を所定の深さだけ刺入する。なお、この刺入は、係合爪５２ｃを各係止孔４６に１段づつ係合させることにより、各係止孔４６相互の間隔づつ段階的に行われることになる。
【００２５】
以上のようにして針体１１の刺入が終了した時点で、外筒４を上方に持ち上げることにより、皮膚Ｈに刺入された状態の針１のみを残して針管２の抜き取りを行う。そして、通常通り所定の技法を行った後、針１の抜き取りを行う。
【００２６】
以上詳細に説明してきたように、この発明の実施の形態の鍼灸施術具によれば、３本の脚片３２を皮膚に当接させることで、針先１１ａを安定させることができるため、針体１１を手で支えることなしに、針先１１ａを正確に経穴に刺入することができ、かつ、皮膚Ｈの圧迫および拡開により切皮（穿孔）時における被施術者の痛みを軽減させることができると共に、その後の針体１１の刺入をスムーズかつ継続的に行なうことができるようになる。
【００２７】
従って、施術中に施術者の手が被施術者の皮膚Ｈに直接触れることがないため、刺入部の汚染を防止することができるようになるという効果が得られる。
また、前記各脚片３２の弾力性を所定の値に設定しておくことにより、施術者の経験・技量の如何に係らず皮膚Ｈの圧迫強度を所定の範囲に安定させることができるようになる。
【００２８】
また、外筒４の側壁に軸方向に沿って６個所に形成された係止孔４６の間隔を所定の長さに設定しておくことにより、切皮（穿孔）時の刺入長さを安定させることができると共に、その後の刺入を段階的かつ正確に行うことができるようになる。
【００２９】
また、脚部３を外筒４に対し着脱自在としたため、皮膚Ｈに直接触れる脚部３のみを新しいものと差し替えることにより、針１を除くその他の部材、即ち針管２は何度でも再利用することが可能となり、これにより、コストを低減することができるようになる。
【００３０】
以上発明の実施の形態を図面により説明したが、具体的な構成はこれらの発明の実施の形態に限られるものではない。
例えば、発明の実施の形態では、針管２を、外筒４と可動部材５で構成させたが、可動部材５を設けることなしに、従来例のように針１を収容可能な針管の下端部に脚部３を備えた構造であってもよい。
【００３１】
また、発明の実施の形態では、複数の係止孔４６とこの係止孔４６に係合する係合爪５２ｃを設けたが、これらを省略し、長孔４７とストッパ爪５２ｄのみを設けるようにしてもよく、この場合は、刺入深さを任意の値に調節することが可能となる。
【００３２】
また、発明の実施の形態では、外筒４に対し脚部３を着脱可能に構成したが、全ての部材を使い捨てにする場合は、一体に形成してもよい。
また、脚片３２は２本以上であれば本数は任意であり、また、その材料も任意であって、金属で形成するようにしてもよい。
【図面の簡単な説明】
【図１】発明の実施の形態の鍼灸施術具を示す正面図である。
【図２】発明の実施の形態の鍼灸施術具を示す拡大底面図である。
【図３】図１の中央縦断面図である。
【符号の説明】
Ｈ  皮膚
１  針
１１  針体
１１ａ  針先
１２  針柄
２  針管
３  脚部
３１  環状基部
３２  脚片
３３  水平部
４  外筒
４１  小径部
４２  先端部
４３  テーパ孔
４４  軸心穴
４５  環状段部
４６  係止孔
４７  長孔
５  可動部材
５１  可動内筒部
５１ａ  中空部
５１ｂ  突起部
５２  ノック部
５２ａ  本体部
５２ｂ  分岐片
５２ｃ  係合爪
５２ｄ  ストッパ爪
【図１】
2004187834.tif 000003
【図２】
2004187834.tif 000004
【図３】
2004187834.tif 000005